(57)【要約】【課題】通信手段が着信又は受信したことを示す着信、受信情報が表示手段に表示されると同時に通信相手先を特定することができる携帯電話装置を提供する。【解決手段】通話の発着信及び／又はメールの送受信を行う通信手段と、所定の情報を表示する表示手段４２と、通信相手先のデータと通信相手先に対応した所定のマークとをそれぞれ対応付けて記憶可能な記憶手段４０Ｂと、着信又は受信した通信手段の通信相手先と記憶手段４０Ｂに記憶された通信相手先とを比較し、両者が一致した場合に、通信手段が着信又は受信したことを示す着信、受信情報を表示手段４２に表示すると同時に、発呼又は送信を行った通信相手先に対応して記憶手段４０Ｂに記憶された所定のマークを表示手段４２に表示するように表示手段４２を制御する制御手段３６と、を有する構成とした。【選択図】      図１
2006050501.tif 000002
【特許請求の範囲】
【請求項１】
通話の発着信又は／及びメールの送受信を行う通信手段と、
所定の情報を表示する表示手段と、
通信相手先のデータと前記通信相手先に対応した所定のマークとをそれぞれ対応付けて記憶可能な記憶手段と、
着信又は受信した前記通信手段の通信相手先と前記記憶手段に記憶された前記通信相手先とを比較し、両者が一致した場合に、前記通信手段が着信又は受信したことを示す着信、受信情報を前記表示手段に表示すると同時に、発呼又は送信を行った通信相手先に対応して前記記憶手段に記憶された所定のマークを前記表示手段に表示するように前記表示手段を制御する制御手段と、
を有することを特徴とする携帯電話装置。
【請求項２】
前記制御手段は、１件の着信或いは受信に対して１つの所定のマークを前記表示手段に表示させるように前記表示手段を制御することを特徴とする請求項１に記載の携帯電話装置。
【請求項３】
前記制御手段は、着信又は受信の種別に応じて所定のマークを前記表示手段に複数表示させるように前記表示手段を制御することを特徴とする請求項１又は２に記載の携帯電話装置。
【請求項４】
通話の発着信又は／及びメールの送受信を行う通信手段と、
所定の情報を表示する表示手段と、
通信相手先のデータと、該通信相手先に対応して前記表示手段に表示する文字及び／又はその背景の表示色とをそれぞれ対応付けて記憶可能な記憶手段と、
着信又は受信した前記通信手段の通信相手先と前記記憶手段に記憶された前記通信相手先とを比較し、両者が一致した場合に、前記通信手段が着信又は受信したことを示す着信、受信情報を前記表示手段に表示すると同時に、前記受信情報及び／又はその背景を、前記着信、受信情報を発呼又は送信を行った通信相手先に対応して前記記憶手段に記憶された所定の色に施すように前記表示手段を制御する制御手段と、
を有することを特徴とする携帯電話装置。
【請求項５】
通話の発着信又は／及びメールの送受信を行う通信手段と、
所定の情報を表示する表示手段と、
通信相手先のデータと、前記表示手段の表示領域の内所定の表示領域の表示色と、を対応付けて記憶可能な記憶手段と、
着信又は受信した前記通信手段の通信相手先と前記記憶手段に記憶された前記通信相手先とを比較し、両者が一致した場合に、前記通信手段が着信又は受信したことを示す着信、受信情報を前記表示手段に表示すると同時に、前記記憶手段に記憶された表示色に基づいて、前記表示手段の表示領域の内所定の表示領域を、前記通信相手先に対応した色で表示させるように制御する制御手段と、
を有することを特徴とする携帯電話装置。
【発明の詳細な説明】
【技術分野】
【０００１】
本発明は、携帯電話装置に関する。
【背景技術】
【０００２】
従来の携帯電話装置では、電話帳に予め登録している相手先からの電話を着信すると、相手先の氏名、電話番号等の情報がディスプレイに表示され、ユーザはディスプレイを視認することにより相手先を知ることができる。そして、ユーザが通話キーを押すことにより、相手と通話することができる。
【０００３】
一方、電話着信時に通話キーを押さなければ、ディスプレイには電話が着信したことを示す着信情報（例えば「着信あり１件」）が表示され、ユーザが所定の機能キーを押すことにより、着信履歴がディスプレイに表示される。これにより、ユーザは、相手先の氏名や電話番号などの情報を知ることができる。
【０００４】
なお、上記従来技術は公用の技術であり、本発明は公用の技術をもとに開発したものである。このため、出願人は、特許出願の時において本発明に関連する文献公知発明の存在を知らず、文献公知発明の名称その他の文献公知発明に関する情報の所在の記載を省略する。
【発明の開示】
【発明が解決しようとする課題】
【０００５】
ところで、上記携帯電話装置では、ディスプレイに表示された「着信あり１件」だけでは、誰からの着信なのかを特定することができない。このため、相手先を特定するためには、ユーザが、ディスプレイに「着信あり１件」が表示された状態から機能キーを押す必要がある。
【０００６】
また、複数（例えば５件）の相手先から電話を着信すると、ディスプレイに「着信あり５件」と表示され、ユーザが機能キーを押すことにより相手先の情報がディスプレイに表示されるが、ディスプレイのスペース上の問題で、一度に５件全ての相手先の氏名、電話番号などの情報をディスプレイに表示することはできず、全ての相手先の情報を知るためには、相手先の情報が１件表示されるごとにユーザが機能キーを押さなければならない不都合がある。
【０００７】
そこで、本発明は、上記事情を考慮し、通信手段が着信又は受信したことを示す着信、受信情報が表示手段に表示されると同時に通信相手先を特定することができる携帯電話装置を提供することを目的とする。
【課題を解決するための手段】
【０００８】
請求項１に記載の発明は、通話の発着信又は／及びメールの送受信を行う通信手段と、所定の情報を表示する表示手段と、通信相手先のデータと前記通信相手先に対応した所定のマークとをそれぞれ対応付けて記憶可能な記憶手段と、着信又は受信した前記通信手段の通信相手先と前記記憶手段に記憶された前記通信相手先とを比較し、両者が一致した場合に、前記通信手段が着信又は受信したことを示す着信、受信情報を前記表示手段に表示すると同時に、発呼又は送信を行った通信相手先に対応して前記記憶手段に記憶された所定のマークを前記表示手段に表示するように前記表示手段を制御する制御手段と、を有することを特徴とする。
請求項２に記載の発明は、前記制御手段は、１件の着信或いは受信に対して１つの所定のマークを前記表示手段に表示させるように前記表示手段を制御することを特徴とする。
請求項３、に記載の発明は、前記制御手段は、着信又は受信の種別に応じて所定のマークを前記表示手段に複数表示させるように前記表示手段を制御することを特徴とする。
請求項４に記載の発明は、通話の発着信又は／及びメールの送受信を行う通信手段と、所定の情報を表示する表示手段と、通信相手先のデータと、該通信相手先に対応して前記表示手段に表示する文字及び／又はその背景の表示色とをそれぞれ対応付けて記憶可能な記憶手段と、着信又は受信した前記通信手段の通信相手先と前記記憶手段に記憶された前記通信相手先とを比較し、両者が一致した場合に、前記通信手段が着信又は受信したことを示す着信、受信情報を前記表示手段に表示すると同時に、前記受信情報及び／又はその背景を、前記着信、受信情報を発呼又は送信を行った通信相手先に対応して前記記憶手段に記憶された所定の色に施すように前記表示手段を制御する制御手段と、を有することを特徴とする。
請求項５記載の発明は、通話の発着信又は／及びメールの送受信を行う通信手段と、所定の情報を表示する表示手段と、通信相手先のデータと、前記表示手段の表示領域の内所定の表示領域の表示色と、を対応付けて記憶可能な記憶手段と、着信又は受信した前記通信手段の通信相手先と前記記憶手段に記憶された前記通信相手先とを比較し、両者が一致した場合に、前記通信手段が着信又は受信したことを示す着信、受信情報を前記表示手段に表示すると同時に、前記記憶手段に記憶された表示色に基づいて、前記表示手段の表示領域の内所定の表示領域を、前記通信相手先に対応した色で表示させるように制御する制御手段と、を有することを特徴とする。
【発明の効果】
【０００９】
請求項１に記載の発明によれば、着信又は受信した通信手段の通信相手先と記憶手段に記憶された通信相手先とが一致するか否かが制御手段により比較される。その結果、両者が一致した場合には、表示手段が制御手段により制御され、通信手段が着信又は受信したことを示す着信、受信情報が表示手段に表示されると同時に、発呼又は送信を行った通信相手先に対応して記憶手段に記憶された所定のマークが表示手段に表示される。これにより、ユーザが表示手段に表示された所定のマークを視認することにより、所定のキーを押すことなく、通信相手先を容易に特定することができる。
【００１０】
また、所定のマークは、通信手段の着信時又は受信時だけでなく、着信後又は受信後でも表示手段に表示させることができるため、ユーザが通信相手先を特定し損なうことを防止できる。
【００１１】
なお、本明細書において、「情報」とは、文字、数字、アイコン、画像、マークなど、表示手段に表示される情報全てを意味するものとする。
【００１２】
また、本明細書において、「通信手段」とは、電話機能による電話、電子メール機能によるＥメール及びＣメールを意味するものとする。
【００１３】
請求項２に記載の発明によれば、１件の着信或いは受信に対して１つの所定のマークが表示手段に表示されるように、制御手段が表示手段を制御することにより、１件の着信或いは受信当りに表示手段に表示される所定のマークの表示スペースを必要最小限にとどめることができる。また、１件の着信或いは受信に対して１つの所定のマークが表示手段に表示されることにより、ユーザが通信相手先を容易に特定することができる。
【００１４】
請求項３に記載の発明によれば、着信又は受信の種別に応じて所定のマークを表示手段に複数表示させるように、制御手段が表示手段を制御することにより、複数の通信相手先からの通信手段を着信又は受信した場合にも、ユーザが表示手段を１度視認するだけで、複数の通信相手先を瞬時に特定することができる。
【００１５】
請求項４に記載の発明によれば、着信又は受信した通信手段の通信相手先と記憶手段に記憶された通信相手先とが一致するか否かが制御手段により比較される。その結果、両者が一致した場合には、表示手段に表示される文字及び／又は背景が所定の色に施される為、ユーザはだれからの着信であるかを一目で分かることができる。例えば、文字情報であると、表示する文字が小さい場合や文字列が長い場合には、一目見ただけではだれからの着信であるかを直ちに判断することが難しい場合があるが、例えば恋人からの着信があるとピンク色の文字及び／又は背景色に施すことにより、誰からの着信であるかを直ちに判断することができる。
【００１６】
請求項５に記載の発明によれば、着信時に表示領域の所定の領域に所定の色を施すものである為、誰からの着信であるかを色により一目で判別できる。
【発明を実施するための最良の形態】
【００１７】
次に、本発明の一実施形態に係る携帯電話装置について、図面を参照して説明する。
【００１８】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１９】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２０】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２１】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２２】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２３】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２４】
また、通信部１２、ベースバンド部１４及び切替回路２２には、制御回路３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。
【００２５】
ここで、図３に示すように、ＲＡＭ４０は、メールデータ記憶部４０Ａと、判別ルール記憶部４０Ｂと、を有している。
【００２６】
メールデータ記憶部４０Ａには、受信したＥメール（電子メール）の内容及びＣメール（電子メール）の内容が一時的に記憶されている。なお、本明細書では、「電子メール」には、ＥメールとＣメールとがそれぞれ含まれるものとする。
【００２７】
判別ルール記憶部４０Ｂには、ＬＥＤ素子（詳細は後述）を発光させるきっかけとなる特定の通信相手先のデータ（例えば、通信相手先の電話番号、Ｅメールアドレス）と、通信相手先とＬＥＤ素子の各色との対応関係を示すデータと、がそれぞれ記憶されている。
【００２８】
また、制御回路３６は、着信した電話又は受信したＣメールの電話番号や、受信したＥメールのメールアドレスが、判別ルール記憶部４０Ｂに記憶された通信相手先のデータと一致しているか否かを判断する。
【００２９】
さらに、着信した電話又は受信したＣメールの電話番号や、受信したＥメールのメールアドレスが、判別ルール記憶部４０Ｂに記憶された通信相手先のデータと一致していると判別した場合には、制御回路３６は、所定のＬＥＤ素子が発光する命令を照明部４６（後述）に出力する。
【００３０】
なお、着信した電話又は受信したＣメールの電話番号や、受信したＥメールのメールアドレスが、判別ルール記憶部４０Ｂに記憶された通信相手先のデータと一致していないと判別した場合には、発光命令は照明部４６に出力されない。
【００３１】
また、制御回路３６には、液晶のディスプレイ４２が接続されている。このディスプレイ４２には、電話、Ｅメール又はＣメールが着信又は受信したことを示す着信、受信情報等の所定の情報が表示される。電話番号、電話、Ｅメール又はＣメールが着信又は受信したことを示す着信、受信情報としては、例えば、「着信あり」、「Ｅメールあり」、「Ｃメールあり」などがある。
【００３２】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、を有している。
【００３３】
また、制御回路３６には、「赤色」、「青色」、「黄色」など複数の各色のＬＥＤ素子を備えた照明部４６が接続されている。照明部４６の各ＬＥＤ素子の発光により、電話番号、電話、Ｅメール又はＣメールが着信又は受信したことを示す着信、受信情報（例えば、「着信あり」、「Ｅメールあり」、「Ｃメールあり」）の文字が、通信相手先と対応した各色に施される。
【００３４】
次に、本実施形態に係る携帯電話装置１０を用いた通信相手先判別方法について、図２に示すフローチャートに基づいて説明する。
【００３５】
なお、携帯電話装置１０がＥメールを受信した場合を例にとり以下に説明する。
【００３６】
図２に示すように、各色のＬＥＤ素子を発光させるきっかけとなる特定の通信相手先のデータ（例えば、Ｅメールアドレス）と、通信相手先とＬＥＤ素子の各色との対応関係を示すデータと、をＲＡＭ４０の判別ルール記憶部４０Ｂに記憶させる（ステップ１００）。
【００３７】
アンテナ１６を介してＥメールが通信部１２に受信される（ステップ１１０）と、受信したＥメールの送信者のメールアドレスがＲＡＭ４０の判別ルール記憶部４０Ｂに記憶された通信相手先のメールアドレスと一致するか否かが制御回路３６により判別される（判別工程、ステップ１２０）。このとき、制御回路３６は、受信したＥメールの送信者のメールアドレスがＲＡＭ４０の判別ルール記憶部４０Ｂに記憶された通信相手先のメールアドレスと一致すると判断した場合には、判別ルール記憶部４０Ｂに記憶された通信相手先とＬＥＤ素子の各色との対応関係に基づいて所定のＬＥＤ素子が発光する命令を照明部４６に出力する（制御工程、ステップ１３０）。照明部４６の各ＬＥＤ素子の発光により（ステップ１４０）、Ｅメールを受信したことを示す受信情報（例えば、「Ｅメールあり」）が、通信相手先と対応した各色に施される。これにより、ユーザがディスプレイ４２に表示された受信情報の色を視認することにより、所定のキーを押すことなく、通信相手先を容易に特定することができる。
【００３８】
また、受信情報は、ユーザが所定のキーを押さなければ、Ｅメールの受信時だけでなく、受信後でもディスプレイ４２にそのまま表示させることができるため、ユーザが通信相手先を特定し損なうことを防止できる。
【００３９】
一方、受信したＥメールの送信者のメールアドレスがＲＡＭ４０の判別ルール記憶部４０Ｂに記憶された通信相手先のメールアドレスと一致しないと制御回路３６が判断した場合には、ＬＥＤ素子が発光する命令は照明部４６に出力されない。
【００４０】
なお、上記実施形態では、携帯電話装置１０がＥメールを受信した場合に基づいて説明したが、Ｅメールを受信した場合に限られることはなく、携帯電話装置１０に電話着信がある時や、電話着信後の着信ありの表示を行う場合やＣメールを受信した場合において、ディスプレイ４２に表示される着信、受信情報を通信相手先に対応した所定の色に施すようにしてもよく、また、後述のように、着信、受信情報とともに通信相手先に対応した所定のマークをディスプレイ４２に表示するようにしてもよい。
【００４１】
次に、上記実施形態の携帯電話装置１０の変形例について説明する。
【００４２】
上記実施形態の携帯電話装置１０では、受信したＥメールの送信者のメールアドレスがＲＡＭ４０の判別ルール記憶部４０Ｂに記憶された通信相手先のメールアドレスと一致すると制御回路３６が判断した場合に、照明部４６の各ＬＥＤ素子の発光により、Ｅメールが受信したことを示す受信情報（例えば、「Ｅメールあり」）の文字が、通信相手先と対応した各色に施される構成を例にとり説明したが、これに限られるものではない。
【００４３】
例えば、予めユーザが各通信相手先と対応した所定のマークをＲＡＭ４０の判別ルール記憶部４０Ｂに記憶させておき、受信したＥメールの送信者のメールアドレスや着信した電話の相手側の電話番号がＲＡＭ４０の判別ルール記憶部４０Ｂに記憶された通信相手先のメールアドレスや電話番号と一致すると制御回路３６が判断した場合には、ディスプレイ４２が制御回路３６により制御され、Ｅメールを受信したことを示す受信情報（例えば、Ｅメールあり）や、着信があったことを示す着信情報（例えば、着信あり）をディスプレイ４２に表示すると同時に、所定のマークがディスプレイ４２に表示されるようにしてもよい。例えば、図４（ａ）に示すように、ディスプレイ４２に、所定のマークとＥメールあり等の受信又は着信があったことを示す着信、受信情報を表示する構成としても良い。具体的には、例えば、ＲＡＭ４０の判別ルール記憶部４０Ｂに、相手先Ａさん（ＡさんのＥメールアドレスや電話番号等）に対応して所定のマーク（例えば、図４（ａ）に示すような笑った顔のアイコン）、相手先Ｂさんに対応して所定のマーク（例えば図４（ａ）に示すような怒った顔のアイコン）、相手先Ｃさんに対応して所定のマーク（例えば、図４（ａ）に示すようなすねた顔のアイコン）をそれぞれ記憶しておき、ＡさんからＥメールがあった場合には、Ｅメールありの文字の近くにＡさんのアイコンを表示させ、Ｂさんから着信があった場合には、着信ありの文字の近くにＢさんのアイコンを表示させ、ＣさんからＣメールがあった場合には、Ｃメールありの文字の近くにＣさんのアイコンを表示させるようにしてもよい。
【００４４】
なお、通話着信やＣメール受信がなく、Ｅメールの受信件数が１件のみある場合には、Ｅメールありの横にアイコンが１つ表示され、Ｃメールあり、着信ありは表示されない。また、判別ルール記憶部４０Ｂには１人分の通信相手先のデータだけを登録しても良いし、複数人分の通信相手先のデータを登録しても良い。
【００４５】
また、図４（ｂ）に示すように、Ｅメールの受信が複数あった場合には、Ｅメールありの文字の近くに、Ｅメールを送信してきた通信相手側に対応するアイコンを複数表示する構成としても良いし、電話の着信が複数あった場合にも同様に通信相手側に対応するアイコンを複数表示する構成としても良い。
【００４６】
これにより、ユーザがディスプレイ４２を視認することにより、所定のキーを押すことなく、通信相手先を容易に特定することができる。特に、マークの種類と通信相手先とを対応付けて判別ルール記憶部４０Ｂに記憶させることにより、通信相手先に応じたマークをディスプレイ４２に表示させることができ、ユーザが通信相手先を容易に特定することができる。
【００４７】
また、１件の着信或いは受信に対して１つの所定のマークがディスプレイ４２に表示されるように、制御回路３６がディスプレイ４２を制御することにより、１件の着信或いは受信当りにディスプレイ４２に表示される所定のマークの表示スペースを必要最小限にとどめることができる。また、１件の着信或いは受信に対して１つの所定のマークがディスプレイ４２に表示されることにより、ユーザが通信相手先を容易に特定することができる。
【００４８】
また、複数の通信相手先からのＥメール又はＣメールを受信した場合や電話が着信した場合にも、１件の着信或いは受信に対して１つの所定のマークがディスプレイ４２に表示されるとともに所定のマークの表示領域を通信相手先の氏名等の情報の表示領域と比較して小さくすることができるため、全てのマークを一度にディスプレイ４２に表示することができる。これにより、ユーザは、何らキー操作することなく、ディスプレイ４２を一度視認するだけで、複数の通信相手先を瞬時に特定することができる。
【００４９】
また、本願発明では、照明部２６の所定のＬＥＤ素子を発光することにより、Ｅメールのタイトル文字又はタイトル文字を表示している行が赤色に施される例を説明したが、制御回路３６が、特定のタイトル文字又はタイトル文字を表示している行のデータを、他の表示領域と異なる色を付けたデータにしてディスプレイ４２に送信し、ディスプレイ４２に色の付いた文字データ等を表示する構成としても良い。このような構成とすることにより、液晶表示装置のバックライト、即ち、照明部４６として白色ＬＥＤ素子のみを用いた場合にも、色の異なる文字や行をディスプレイ４２に表示することが可能であり、ＬＥＤ素子のコストダウンを実現することができる。
【００５０】
例えば、相手先の電話番号や氏名と、それに対応して表示する色の情報を予めメモリに記憶しておき、着信時に受信した発呼側の電話番号と対応する電話番号がメモリに格納されている場合には、着信時或いは着信後に表示されている所定の情報（例えば、「Ｅメール受信中」、「Ｅメールあり」、「着信中」、「着信あり」、「着信中、田中さん」）といった文字を表示する列のみ背景の表示色と異なる色としても良い。このような構成とすることにより、だれからの着信又はメール受信であるかを一目でわかることができる。
【００５１】
又、同様にして、表示する背景の色、表示する文字の所定の文字の色、表示する領域の内所定の領域の色を発呼側の相手先に対応付けた色で表示することも可能である。
【００５２】
このような構成としても、ユーザはだれからの着信であるかを一目でわかることが可能である。
【００５３】
さらに、本実施形態では、メール受信時や電話の着信時に判別ルール記憶部４０Ｂに記憶された通信相手先の情報と発呼側の情報とが一致しなければ、照明部４６を消灯させる構成としたが、点灯させる構成としても良い。
【００５４】
また、所定のマークは、例えば図４に示すように、アイコンのようなものでも良いし、動画、静止画を問わず、写真画像、アニメ画像、絵画画像等でも良い。
【図面の簡単な説明】
【００５５】
【図１】本発明の一実施形態に係る携帯電話装置のブロック図である。
【図２】本発明の一実施形態に係る携帯電話装置の作用を示すフローチャートである。
【図３】本発明の一実施形態に係る携帯電話装置を構成するＲＡＭの概略構成図である。
【図４】（ａ）、（ｂ）ともに本発明の一実施形態に係る携帯電話装置の表示手段に表示された着信、受信情報と所定のマークの概念図である。
【符号の説明】
【００５６】
１０      携帯電話装置
３６      制御回路（制御手段）
４０Ｂ    判別ルール記憶部（記憶手段）
４２      ディスプレイ（表示手段）
４６      照明部（発光手段）
【図１】
2006050501.tif 000003
【図２】
2006050501.tif 000004
【図３】
2006050501.tif 000005
【図４】
2006050501.tif 000006